(57)【要約】【課題】簡易に、かつ迅速に録音レベルを所望のレベルに設定し得る録音装置及びプログラムを提供する。【解決手段】録音装置は、録音スイッチを含む操作ＳＷ１８と、ゲイン調整ＳＷ２０と、入力オーディオ信号のゲインを調整するＣＯＤＥＣ１４と、録音スイッチの操作に応じ、ゲイン調整された入力オーディオ信号を録音するとともに、録音スイッチの操作に応じ、ゲイン調整された入力オーディオ信号のピークレベルを検出してホールドするＣＰＵ１６を備える。ＣＰＵ１６は、録音ＳＷ操作後のゲイン調整ＳＷ２０の操作に応じ、ホールドされているピークレベルに基づいた調整量を設定してＣＯＤＥＣ１４におけるゲインを調整する。【選択図】図１
2017175545.tif 000002
【特許請求の範囲】
【請求項１】
録音スイッチと、
ゲイン調整スイッチと、
入力オーディオ信号のゲインを調整する調整手段と、
録音スイッチの操作に応じ、ゲイン調整された入力オーディオ信号を録音する録音手段と、
録音スイッチの操作に応じ、ゲイン調整された入力オーディオ信号のピークレベルを検出してホールドするピークホールド手段と、
録音スイッチ操作後のゲイン調整スイッチの操作に応じ、ホールドされているピークレベルを基準とする調整量を設定して調整手段におけるゲインを調整する制御手段と、
を備えることを特徴とする録音装置。
【請求項２】
請求項１に記載の録音装置において、
制御手段は、調整量として、ピークレベルが大なるほど大なる減衰量を設定する、
ことを特徴とする録音装置。
【請求項３】
請求項１に記載の録音装置において、
制御手段は、調整量として、固定値の減衰量を設定する、
ことを特徴とする録音装置。
【請求項４】
請求項１〜３のいずれかに記載の録音装置において、
制御手段は、ゲイン調整スイッチが操作された直前の所定時間においてホールドされているピークレベルを基準とする調整量を設定して調整手段におけるゲインを調整する、
ことを特徴とする録音装置。
【請求項５】
プロセッサに、
録音スイッチの操作に応じ、ゲイン調整された入力オーディオ信号を録音するステップと、
録音スイッチの操作に応じ、ゲイン調整された入力オーディオ信号のピークレベルを検出してホールドするステップと、
録音スイッチ操作後のゲイン調整スイッチの操作に応じ、ホールドされているピークレベルを基準とする減衰量を設定してゲインを変化させるステップと、
を実行させるプログラム。
【発明の詳細な説明】
【技術分野】
【０００１】
本発明は録音装置及びプログラムに関し、特にゲインの調整に関する。  
【背景技術】
【０００２】
従来から、録音レベルのゲインを調整する技術が知られている。
特許文献１には、レベル設定スイッチをオンにしている間の入力信号の最大レベル（ピークレベル）を検出し、検出したピークレベルに応じて録音レベルのゲインを自動的に最適レベルに設定する技術が記載されている。
【０００３】
特許文献２には、自動設定スイッチの押下に応じて、所定時間（例えば１０秒間）における入力信号の最大レベル（ピークレベル）を検出し、検出したピークレベルに応じて録音レベルを自動的に最適レベルに設定することが記載されている。
【０００４】
特許文献３には、従来知られている技術として、自動ゲインコントロール（ＡＧＣ）を用いて録音レベルを自動的に設定する技術、及び録音レベルを一旦最大に設定し、過大入力があったときに、所定量ずつ録音レベルを下げていき、過大入力がなくなるまでこの処理を繰り返す自動録音レベル設定技術について記載されている。  
【先行技術文献】
【特許文献】
【０００５】
【特許文献１】特公昭６０−０１７１７２号公報
【特許文献２】特公昭６１−０４８２８９号公報
【特許文献３】特開２００９−１０４６８０号公報
【発明の概要】
【発明が解決しようとする課題】
【０００６】
実際に録音を行うに先立って、予め録音レベルを最適レベルに自動設定することは、リハーサルが可能なスタジオ録音等においては有効であるが、屋外（アウトドア）において自然の音やイベントを録音する等、リハーサルがそもそも不可能な場合は、予め録音レベルを最適レベルに自動設定することはできず、録音時にその都度最適レベルに調整していくことが必要である。
【０００７】
他方、自動設定スイッチを設け、自動設定スイッチの押下に応じて所定時間における入力信号のピークレベルを検出し、ピークレベルに応じて録音レベルを自動的に最適レベルに設定する構成では、自動設定スイッチを押下操作して所定時間を経過した後でなければ録音レベルが自動調整されないため、リアルタイム処理に欠け、瞬間的な入力オーディオレベルの増大に迅速に対応できない問題がある。
【０００８】
本発明の目的は、簡易に、かつ迅速に録音レベルを所望のレベルに設定し得る録音装置及びプログラムを提供することにある。
【課題を解決するための手段】
【０００９】
本発明の録音装置は、録音スイッチと、ゲイン調整スイッチと、入力オーディオ信号のゲインを調整する調整手段と、録音スイッチの操作に応じ、ゲイン調整された入力オーディオ信号を録音する録音手段と、録音スイッチの操作に応じ、ゲイン調整された入力オーディオ信号のピークレベルを検出してホールドするピークホールド手段と、録音スイッチ操作後のゲイン調整スイッチの操作に応じ、ホールドされているピークレベルを基準とする調整量を設定して調整手段におけるゲインを調整する制御手段とを備えることを特徴とする。
【００１０】
本発明の１つの実施形態では、制御手段は、調整量として、ピークレベルが大なるほど大なる減衰量を設定する。また、他の実施形態では、制御手段は、調整量として、固定値の減衰量を設定する。
【００１１】
本発明の他の実施形態では、制御手段は、ゲイン調整スイッチが操作された直前の所定時間においてホールドされているピークレベルを基準とする調整量を設定して調整手段におけるゲインを調整する。
【００１２】
また、本発明は、プロセッサに、録音スイッチの操作に応じ、ゲイン調整された入力オーディオ信号を録音するステップと、録音スイッチの操作に応じ、ゲイン調整された入力オーディオ信号のピークレベルを検出してホールドするステップと、録音スイッチ操作後のゲイン調整スイッチの操作に応じ、ホールドされているピークレベルを基準とする減衰量を設定してゲインを変化させるステップとを実行させるプログラムである。
【発明の効果】
【００１３】
本発明によれば、録音中にゲイン調整スイッチを操作するのみで、簡易に、かつ迅速に録音レベルを所望のレベルに設定することができる。
【図面の簡単な説明】
【００１４】
【図１】実施形態の構成ブロック図である。
【図２】実施形態の処理フローチャートである。
【図３】実施形態のゲイン調整処理説明図である。
【図４】他の実施形態の処理フローチャートである。
【図５】他の実施形態のゲイン調整処理説明図である。
【発明を実施するための形態】
【００１５】
以下、図面に基づき本発明の実施形態について説明する。
【００１６】
まず、本実施形態の基本原理について説明する。
上記先行技術文献に記載されているように、ゲイン調整スイッチを操作することで録音レベルを調整する技術は公知であるが、ゲイン調整スイッチを操作してから入力オーディオ信号のピークレベルを検出し、検出したピークレベルに応じて録音レベルを調整するものであるため、ピークレベルを検出するために一定時間を要し、その間は録音レベルが調整されない問題がある。
【００１７】
そこで、本実施形態では、ゲイン調整スイッチが操作されてから入力オーディオ信号のピークレベルを検出するのではなく、ゲイン調整スイッチが操作される前にピークレベルを予め検出しておき、ゲイン調整スイッチが操作された場合に、事前に検出されているピークレベルを基準として録音レベルを調整する。ピークレベルを予め検出しているので、ゲイン調整スイッチが操作された場合に迅速にゲインを調整することができる。
【００１８】
入力オーディオ信号のピークレベルは、例えば録音装置の電源がＯＮされてから常に検出することも可能であるが、ユーザが録音の意思を有して操作したと判定することができる録音スイッチの操作に応じて検出を開始することが好適である。すなわち、録音スイッチの操作に応じて入力オーディオ信号を録音するが、これと並行して、入力オーディオ信号のピークレベルを検出してホールドしておく。そして、録音中にユーザがゲイン調整スイッチを操作した場合に、それまでに検出しホールドしておいたピークレベルを基準として調整量を設定してゲイン調整することで、ユーザは録音中に単にゲイン調整スイッチを操作するのみで迅速に録音レベルを所望のレベルに調整し得る。
【００１９】
ゲインの調整量は、ピークレベルに応じて設定され得るが、より具体的にはピークレベルが大なるほど大なる減衰量となるように設定する。これにより、録音レベルが過大となることを防止できる。また、ゲインの調整量は、ピークレベルとは無関係に固定値（例えば−３ｄＢと一律）であってもよい。ゲインの調整量を固定値とすることで、演算処理時間を短縮でき、より迅速に調整結果を反映させることができる。但し、固定値であっても、ユーザが適宜変更可能な固定値であってもよく、あるいはユーザが複数の固定値の中から選択できる固定値であってもよい。
【００２０】
本実施形態では、事前に検出してホールドしたピークレベルを用いてゲインを調整するものであるが、事前に検出してホールドした任意の時点（録音スイッチが操作されて以後の任意の時点）におけるピークレベルではなく、ゲイン調整スイッチが操作された直前の時点におけるピークレベルを用いてゲインを調整することもできる。
【００２１】
次に、本実施形態について、より具体的に説明する。
【００２２】
＜第１実施形態＞
図１は、本実施形態における録音装置としてのリニアＰＣＭレコーダ（以下、単に「レコーダ」と称する）の構成ブロック図を示す。
【００２３】
レコーダは、オーディオ信号入力端子１０、オーディオ信号出力端子１２、コーデック（ＣＯＤＥＣ）１４、ＣＰＵ１６、操作スイッチ（ＳＷ）１８、ゲイン調整スイッチ（ＳＷ）２０、フラッシュＲＯＭ２２、ＲＡＭ２４、ＳＤメモリ２６、及びディスプレイ２８を備えて構成される。
【００２４】
オーディオ信号入力端子１０は、マイク入力端子であり、オーディオ信号を入力してＣＯＤＥＣ１４に出力する。
【００２５】
オーディオ信号出力端子１２は、ヘッドホン出力端子であり、ＣＯＤＥＣ１４からのオーディオ信号を出力する。
【００２６】
ＣＯＤＥＣ１４は、アンプ１４ａ、アナログデジタル変換器（ＡＤ）１４ｂ及びデジタルアナログ変換器（ＤＡ）１４ｃを備え、入力されたアナログオーディオ信号を増幅しデジタルオーディオ信号に変換・符号化してＣＰＵ１６に出力し、あるいはＣＰＵ１６からのデジタルオーディオ信号をアナログオーディオ信号に変換・復号化してオーディオ信号出力端子１２に出力する。ＣＯＤＥＣ１４は、ＣＰＵ１６からの制御指令に基づいて入力オーディオ信号の増幅ゲインを調整する。
【００２７】
ＣＰＵ１６は、フラッシュＲＯＭ２２に記憶された処理プログラムを読み込み、ＲＡＭ２４をワーキングメモリとして用いて処理プログラムを実行することで各種機能を実現する。ＣＰＵ１６の主な機能は、オーディオ信号の録音及びオーディオ信号の再生である。ＣＰＵ１６は、後述する操作ＳＷ１８及びゲイン調整ＳＷからの操作信号に応じて処理を実行する。具体的には、ユーザが録音ＳＷを操作すると、ＣＰＵ１６は、ＣＯＤＥＣ１４でデジタル化され符号化されたオーディオ信号をＳＤメモリ２６等の記録媒体に記録して録音する。また、録音時にユーザがゲイン調整ＳＷ２０を操作すると、その操作信号に応じてゲイン調整量を演算し、ＣＯＤＥＣ１４にゲイン制御指令として出力する。また、ユーザが再生ＳＷを操作すると、ＣＰＵ１６は、ＳＤメモリ２６に記録されているオーディオ信号を読み出してＣＯＤＥＣ１４に出力する。
【００２８】
操作ＳＷ１８は、電源ＳＷ、録音ＳＷ、再生ＳＷ、停止／一時停止ＳＷ、メニューＳＷ等である。操作ＳＷは、ユーザの操作に応じて操作信号をＣＰＵ１６に出力する。
【００２９】
ゲイン調整ＳＷ２０は、ユーザが録音中に録音レベルを調整する際に操作するスイッチである。ゲイン調整ＳＷ２０は、ユーザの操作に応じて操作信号をＣＰＵ１６に出力する。ＣＰＵ１６は、この操作信号に応じて、直ちにＣＯＤＥＣ１４に対してゲイン制御指令を出力し、ＣＯＤＥＣ１４は、ＣＰＵ１６からのゲイン制御指令に応じて直ちに入力オーディオ信号のゲインを調整する。
【００３０】
ディスプレイ２８は、液晶パネル等で構成され、ＣＰＵ１６からの制御指令に基づいて録音状態や再生状態等のステータスを表示する。
【００３１】
本実施形態において、ＣＰＵ１６は、録音中にユーザがゲイン調整ＳＷ２０を操作すると、この操作に応じてゲイン調整量を直ちに演算してＣＯＤＥＣ１４にゲイン制御指令を出力し、ＣＯＤＥＣ１４は、ＣＰＵ１６からのゲイン制御指令に応じて直ちにオーディオ信号のゲインを調整するが、より詳細には以下のようにしてゲイン調整量を演算する。
【００３２】
すなわち、ユーザが操作ＳＷ１８のうちの録音ＳＷを操作すると、ＣＰＵ１６は、ＣＯＤＥＣ１４でデジタル化され符号化されたオーディオ信号をＳＤメモリ２６等の記録媒体に記録して録音するが、録音ＳＷが操作されたと同時に、ピークホールド部１６ａで入力オーディオ信号のピークレベルを検出し、検出したピークレベルを保持する。具体的には、ある制御周期で検出したオーディオ信号のレベルを１制御周期前のオーディオ信号のレベルと比較し、現在のオーディオ信号のレベルの方が大きい場合に当該レベルを新たにラッチし、１制御周期前のレベルの方が大きければそのままそのレベルをラッチし続ける処理を繰り返し実行することで、最大のレベルをラッチする。
【００３３】
そして、ユーザがゲイン調整ＳＷ２０を操作すると、ＣＰＵ１６は、それまでに検出されホールドされているピークレベルを基準として、ＣＯＤＥＣ１４におけるゲインを設定する。つまり、ピークレベルが大きいほど減衰量が大きくなるようにゲインを設定する。例えば、ピークレベルがＰ１のときに減衰量を３ｄＢに設定し、ピークレベルがＰよりも大きなＰ２のときに減衰量を６ｄＢに設定する等である。検出されホールドされているピークレベルを閾値と比較し、閾値以上であれば減衰量を設定するが、閾値未満であれば減衰量を０ｄＢとしてゲインをそのまま維持してもよい。閾値は、０ｄＢに設定するのが望ましいが、ユーザが初期設定した録音レベル（ゲイン）を閾値として設定するようにしてもよいし、任意の値に設定できるようにしてもよい。
【００３４】
このように、本実施形態では、ゲイン調整ＳＷ２０が操作されてから入力オーディオ信号のピークレベルを検出するのではなく、ゲイン調整ＳＷ２０が操作されていなくても録音ＳＷ１８が操作されたときに入力オーディオ信号のピークレベルを検出してホールドしておくことで、ゲイン調整ＳＷ２０が操作されたときに瞬時にホールドされているピークレベルを基準としてゲインを調整することができる。従って、ユーザは屋外等で録音する際に、急峻に入力オーディオ信号のレベルが増大した場合でも、ゲイン調整ＳＷ２０を操作するのみで、時間を要することなく録音レベルを所望のレベルに調整することが可能である。
【００３５】
ＣＰＵ１６は、フラッシュＲＯＭ２２に記憶された処理プログラムに基づいてピークホールドを行い、ゲイン調整ＳＷ２０の操作に応じてホールドされたピークレベルを基準としてＣＯＤＥＣ１４のゲインを調整するが、ピークレベルと減衰量との関係は予めテーブルとしてフラッシュＲＯＭ２２に記憶しておく。例えば、閾値をＰｔｈとして、ピークレベルＰに応じ、
Ｐ＜Ｐｔｈ：減衰量０ｄＢ
Ｐｔｈ≦Ｐ＜Ｐ１：減衰量１ｄＢ
Ｐ１≦Ｐ＜Ｐ２：減衰量３ｄＢ
Ｐ２≦Ｐ＜Ｐ３：減衰量６ｄＢ
Ｐ３≦Ｐ：減衰量９ｄＢ
等である。なお、ピークレベルに応じた減衰量を、ユーザが操作ＳＷ１８を操作して適宜変更可能としてもよい。例えば、上記の１ｄＢを２ｄＢに変更する等である。
【００３６】
図２は、本実施形態の録音時の処理フローチャートである。
まず、電源ＳＷがＯＮされると、各部に電力が供給され、ＣＰＵ１６が起動する（Ｓ１０１）。
【００３７】
次に、ＣＰＵ１６は、操作ＳＷ１８の一つである録音ＳＷが操作されたか否かを判定する（Ｓ１０２）。
【００３８】
録音ＳＷが操作された場合、ＣＰＵ１６は、ＣＯＤＥＣ１４でデジタル化され符号化されたオーディオ信号をＳＤメモリ２６等に記録することで録音する（Ｓ１０３）。なお、ＣＯＤＥＣ１４のアンプ１４ａのゲインはデフォルト値に設定されるが、既にゲインが前回の録音時に調整済みの場合には、調整済みのゲインを設定してもよい。
【００３９】
また、ＣＰＵ１６は、録音ＳＷが操作された場合に、その操作信号をトリガとして、入力オーディオ信号のピークレベルを検出し（Ｓ１０４）、検出したピークレベルをホールドする（Ｓ１０５）。このピークホールド処理は、録音ＳＷの操作をトリガとして実行され、ゲイン調整ＳＷ２０が操作されなくても（いわばバックグラウンドで）実行される点に留意されたい。
【００４０】
次に、ゲイン調整ＳＷ２０が操作されたか否かを判定する（Ｓ１０６）。ゲイン調整ＳＷが操作されない場合には、引き続き現在のゲインで録音を実行する（Ｓ１０６でＮＯでＳ１０３）。
【００４１】
他方、ユーザが急峻な入力オーディオレベルの増大に起因する等してゲイン調整ＳＷ２０を操作した場合、ＣＰＵ１６は、ピークホールド部でホールドしているピークレベルに基づき，フラッシュＲＯＭ２２に記憶されているテーブルを参照して、ピークレベルに対応する減衰量を読み出してＣＯＤＥＣ１４にゲイン制御指令として出力する。ＣＯＤＥＣ１４は、ＣＰＵ１６からのゲイン制御指令に応じ、例えば現在のゲインを−３ｄＢだけ変化させる等してゲイン調整する（Ｓ１０７）。以後は、調整後のゲインで録音が実行される（Ｓ１０３）。
【００４２】
図３は、本実施形態の録音処理を模式的に示す。図において、横軸は時間、縦軸は入力オーディオ信号のレベルを示す。
【００４３】
ある時刻ｔ１においてユーザが録音ＳＷを操作すると、ＣＰＵ１６はこの操作に応じて入力オーディオ信号の録音を開始する。また、録音の開始とともに、入力オーディオ信号のピークレベルを検出してホールドする。図において、ピークレベル１００が検出されホールドされているものとする。
【００４４】
その後、時刻ｔ２においてユーザがゲイン調整ＳＷ２０を操作すると、ＣＰＵ１６はこの操作に応じて、ホールドしているピークレベル１００に応じた減衰量、例えば−３ｄＢを設定し、以後は調整後のゲインで録音を実行する。ゲイン調整ＳＷ２０が操作された時点において既にピークレベルが検出されホールドされているので、入力オーディオ信号のレベルに応じ、かつ迅速にゲインを調整できる。
【００４５】
なお、ゲイン調整ＳＷ２０が操作されてから入力オーディオ信号のピークレベルを検出し、検出したピークレベルに応じて減衰量を設定する構成では、ピークレベルの検出及びホールドに一定時間（例えば１０秒間）を要するため、この期間はゲインが調整されず録音レベルが過大となる事態も想定されるが、本実施形態ではゲイン調整ＳＷ２０の操作により速やかにゲインが調整されるため、かかる事態を防止できる。本実施形態は、例えば走行中の蒸気機関車（ＳＬ）の走行音や汽笛を録音する場合等に有効であろう。本実施形態では、ゲイン調整ＳＷ２０が操作されるまではゲイン調整は自動的には実行されず、ユーザによるゲイン調整ＳＷ２０の操作に応じて迅速にゲインを調整する構成であるため、録音環境の変化に迅速に対応できるだけでなく、ユーザの録音レベルの好みをより反映させ易い利点もある。
【００４６】
また、本実施形態では、録音ＳＷの操作をトリガとして入力オーディオ信号のピークレベルを検出してホールドしているが、ＣＰＵ１６は、このようにしてホールドされたピークレベルのうち、ゲイン調整ＳＷ２０が操作された時点を起点としてその直前の所定時間においてホールドされたピークレベルに基づいてゲインを調整してもよい。
【００４７】
図４は、この場合の録音時の処理フローチャートである。
まず、電源ＳＷがＯＮされると、各部に電力が供給され、ＣＰＵ１６が起動する（Ｓ２０１）。
【００４８】
次に、ＣＰＵ１６は、操作ＳＷ１８の一つである録音ＳＷが操作されたか否かを判定する（Ｓ２０２）。
【００４９】
録音ＳＷが操作された場合、ＣＰＵ１６は、ＣＯＤＥＣ１４でデジタル化され符号化されたオーディオ信号をＳＤメモリ２６等に記録することで録音する（Ｓ２０３）。当初のＣＯＤＥＣ１４のゲインはデフォルト値である。
【００５０】
また、ＣＰＵ１６は、録音ＳＷが操作された場合に、その操作信号をトリガとして、入力オーディオ信号のピークレベルを検出し（Ｓ２０４）、検出したピークレベルをホールドする（Ｓ２０５）。このピークホールド処理は、録音ＳＷの操作をトリガとして実行され、ゲイン調整ＳＷ２０が操作されなくても（いわばバックグラウンドで）実行される。ＣＰＵ１６は、ピークホールドする際に、ホールドしたピークレベルの検出時間も同時に保持する。
【００５１】
次に、ホールドされたピークレベルが現在の時刻に対して所定時間より前のピークレベルであるか否かを判定する（Ｓ２０６）。所定時間は例えば５秒に設定され、５秒以上前のピークレベルであるかを判定する。所定時間より前のピークレベルがホールドされている場合、当該ピークレベルを削除し（Ｓ２０７）、新たにピーク検出及びホールドを再実行する（Ｓ２０４，Ｓ２０５）。この処理を繰り返すことで、常に最新の（例えば直前の５秒間の）ピークレベルのみがホールドされる。
【００５２】
次に、ゲイン調整ＳＷ２０が操作されたか否かを判定する（Ｓ２０８）。ゲイン調整ＳＷが操作されない場合には、引き続き現在のゲインで録音を実行する（Ｓ２０８でＮＯでＳ２０３）。
【００５３】
他方、ユーザが急峻な入力オーディオレベルの増大に起因する等してゲイン調整ＳＷ２０を操作した場合、ＣＰＵ１６は、ピークホールド部でホールドしているピークレベル、つまり直前の所定時間内のピークレベルに基づき，フラッシュＲＯＭ２２に記憶されているテーブルを参照して、ピークレベルに対応する減衰量を読み出してＣＯＤＥＣ１４にゲイン制御指令として出力する。ＣＯＤＥＣ１４は、ＣＰＵ１６からのゲイン制御指令に応じ、例えば現在のゲインを−３ｄＢだけ変化させる等してゲイン調整する（Ｓ２０９）。以後は、調整後のゲインで録音が実行される（Ｓ２０３）。
【００５４】
図５は、この場合の録音処理を模式的に示す。ある時刻ｔ１においてユーザが録音ＳＷを操作すると、ＣＰＵ１６はこの操作に応じて入力オーディオ信号の録音を開始する。また、録音の開始とともに、入力オーディオ信号のピークレベルを検出してホールドする。ピークレベルは、現在時刻から所定時間前の範囲でホールドされ、逐次更新される。
【００５５】
その後、時刻ｔ２においてユーザがゲイン調整ＳＷ２０を操作すると、ＣＰＵ１６はこの操作に応じて、時刻ｔ２から時刻ｔ２を起点として設定される所定時間（例えば５秒間）前の時刻ｔ３までの範囲で検出されホールドされているピークレベル２００を読み出し、ピークレベル２００に応じた減衰量、例えば−３ｄＢを設定し、以後は調整後のゲインで録音を実行する。図５の処理では、図３の処理と比較して、よりゲイン調整ＳＷ２０が操作されたタイミングに近いタイミングにおけるピークレベルに基づいてゲインが調整され得る利点がある。
【００５６】
＜第２実施形態＞
第１実施形態では、ピークレベルに応じて、ピークレベルが大なるほど大なる減衰量を設定することでゲインを調整しているが、ピークレベルの値とは無関係に減衰量を固定値（例えば−３ｄＢや−６ｄＢ等）としてもよい。この場合、図２のＳ１０７でピークレベルとは無関係に固定値（例えば−３ｄＢ）だけゲインを変化させる。図４のＳ２０９においても同様である。固定値は、フラッシュＲＯＭ２２に予め記憶される。
【００５７】
具体的には、例えば固定値が−３ｄＢに設定されており、ホールドされているピークレベルが＋２ｄＢの状態でゲイン調整ＳＷ２０が操作されると、ＣＰＵ１６は、ホールドされているピークレベルが−１ｄＢとなるようにアンプ１４ａのゲインを調整する。従って、仮にホールドされているピークレベルが＋５ｄＢであると、ゲイン調整ＳＷ２０の操作によりホールドされているピークレベルが＋２ｄＢとなるようにゲイン調整される。調整量を固定することで演算処理時間が短縮され、より迅速に調整結果が反映される。
【００５８】
ゲイン調整ＳＷ２０における１回の操作における調整量（減衰量）は、複数の設定値からユーザが選択できるように構成してもよく、ユーザが任意に設定できるようにしてもよい。例えば、ＣＰＵ１６がディスプレイ２８に調整量を表示し、ユーザが操作ＳＷ１８を操作して調整量を任意に設定できるようにしてもよく、設定された調整量はＲＯＭあるいはＲＡＭ２４に記憶される。要するに、「固定値」とは、ピークレベルの大きさに依存せずに、予めシステムが自動的に決定し、あるいは予めユーザが手動で決定した値を意味する。
【００５９】
以上、本発明の実施形態について説明したが、本発明はこれらの実施形態に限定されるものではなく、種々の変更が可能である。
【００６０】
例えば、本実施形態において、ユーザがゲイン調整ＳＷ２０を複数回操作した場合には、操作する毎にゲインを調整してもよい。例えば、ユーザが時刻ｔ２においてゲイン調整ＳＷ２０を操作し、さらにその後の時刻ｔ４においてゲイン調整ＳＷ２０を操作した場合、時刻ｔ２における１回目の操作に応じて−３ｄＢだけゲインを変化させ、時刻ｔ４における２回目の操作に応じてさらに−３ｄＢだけゲインを変化させる等である。
【００６１】
また、本実施形態において、ユーザがゲイン調整ＳＷ２０を連続的に２回操作した場合には、ゲイン調整処理をキャンセルしてもよい。例えば、ユーザが時刻ｔ２においてゲイン調整ＳＷ２０を操作し、さらにその後の時刻ｔ４においてゲイン調整ＳＷ２０を２回連続して操作した場合、時刻ｔ２における１回目の操作に応じて−３ｄＢだけゲインを変化させ、時刻ｔ４における連続的な操作に応じて＋３ｄＢだけゲインを変化させて元のレベルに戻す等である。
【００６２】
また、本実施形態では、ゲイン調整ＳＷ２０は、操作ＳＷ１８とは別個のＳＷとして構成されているが、操作ＳＷ１８のいずれかと兼用するＳＷであってもよい。例えば、録音ＳＷにゲイン調整ＳＷ２０としての機能を持たせ、１回目の録音ＳＷの操作が録音開始に対応し、２回目の録音ＳＷの操作がゲイン調整に対応する等である。操作ＳＷ１８のうち、ゲイン調整ＳＷ２０としても機能するＳＷをユーザが割り当て可能な構成としてもよい。例えば、レコーダの処理プログラムをインターネット等からダウンロード可能とするとともに、処理プログラムに基づいてＣＰＵ１６が新たに録音ＳＷをゲイン調整ＳＷとしても兼用させる等である。あるいは、ディスプレイ２８をタッチパネルで構成し、ＣＰＵ１６がゲイン調整ＳＷ２０をタッチボタンとしてディスプレイ２８に表示してもよい。
【００６３】
また、本実施形態において、ゲイン調整ＳＷ２０が操作された時点を起点としてその直前の所定時間においてホールドされたピークレベルに基づいてゲインを調整する場合、所定時間をユーザが適宜設定可能な構成としてもよい。
【００６４】
また、本実施形態において、図２の処理とするか図４の処理とするかをユーザが適宜選択可能な構成としてもよい。デフォルトの処理を図２とし、ユーザが特定のＳＷを操作した場合に図４の処理に切り替えてもよい。
【００６５】
さらに、本実施形態において、ゲイン調整ＳＷ２０が操作され、これに応じてゲインを調整した場合に、ＣＰＵ１６はその旨を調整量とともにディスプレイ２８に表示してユーザに通知してもよい。通常、ディスプレイ２８には録音時にレベルメータが表示されて録音レベルが通知されるが、このレベルメータとは別に、あるいはレベルメータに重畳してゲイン調整された旨及び調整量を表示する。
【符号の説明】
【００６６】
１０  オーディオ信号入力端子、１２  オーディオ信号出力端子、１４  コーデック（ＣＯＤＥＣ）、１６  ＣＰＵ、１８  操作ＳＷ、２０  ゲイン調整ＳＷ、２２  フラッシュＲＯＭ、２４  ＲＡＭ、２６  ＳＤメモリ、２８  ディスプレイ。
【図１】
2017175545.tif 000003
【図２】
2017175545.tif 000004
【図３】
2017175545.tif 000005
【図４】
2017175545.tif 000006
【図５】
2017175545.tif 000007